(57)【要約】【課題】支柱の間に直接取り付けることができ、支柱に予め取り付けてある手摺又はフェンスの取付金具を逃げる切欠を必要としない笠木の取付構造を提供する。【解決手段】（ａ）ブロック塀等の頂面に載置され、手摺又はフェンス取付用の支柱を包囲する支柱カバーを、その支柱の互いに反対側から包囲できる形状に２分割してなる支柱カバー部品を、笠木本体の長手方向の少なくとも一端部に取付けて笠木を構成し、（ｂ）その場合、隣接して設置される笠木の端部の支柱カバー部品は支柱に関して反転対称形となるように取付け、（ｃ）支柱カバー部品を取り付けた笠木本体を支柱の間のブロック塀等の頂面に載置し、隣接する支柱カバー部品により支柱を包囲した状態で、笠木本体をブロック塀等の頂面に固着するようにした。【選択図】  図１
2009197517.tif 000002
【特許請求の範囲】
【請求項１】
ブロック塀又はパラペットの頂面に載置され、その頂面に立設された手摺又はフェンス取付用の支柱を包囲する支柱カバーを、その支柱の互いに反対側から包囲できる形状に２分割してなる支柱カバー部品を、笠木本体の長手方向の少なくとも一端部に取付けて笠木を構成し、
その場合、隣接して取り付けられる笠木の端部に取り付けられる支柱カバー部品は前記支柱に関して反転対称形となるように取付け、
前記支柱カバー部品を取り付けた前記笠木本体を前記支柱の間のブロック塀又はパラペットの頂面に載置し、隣接する前記支柱カバー部品により前記支柱を包囲した状態で、前記笠木本体を前記ブロック塀又はパラペットの頂面に固着することを特徴とする笠木の取付構造。
【請求項２】
笠木本体は、上面に開口する溝を有し、その溝を形成する底壁がブロック塀又はパラペットの頂面に載置されて、その溝から前記底壁をブロック塀又はパラペットの頂面にねじ止めして固定され、前記溝にその溝を密閉するカバーが装着されることを特徴とする請求項に記載の笠木の取付構造。
【請求項３】
支柱カバー部品は、笠木本体側に突出して笠木本体の上面に開口する溝の端部に嵌合して、その溝の底壁に固着される嵌合凸部を有するとともに、前記笠木本体と反対側に他の笠木の支柱カバー部品と結合するための結合部を有することを特徴とする請求項２に記載の笠木の取付構造。
【請求項４】
支柱カバー部品は、いずれも同一形状を有するものであることを特徴とする請求項１，２又は３に記載の笠木の取付構造。
【発明の詳細な説明】
【技術分野】
【０００１】
本発明は、ブロック塀やパラペット等の頂面に手摺やフェンスの支柱を立設する場合に、そのブロック塀やパラペット等の頂面に笠木を取り付ける際に用いられる笠木取付構造に関する。
【背景技術】
【０００２】
ブロック塀やパラペット等(以下、簡略してブロック塀という。)の頂面に、そのブロック塀の保護及び装飾のため、アルミニウムその他の金属製の笠木が取り付られる場合があるが、その笠木の上側に、手摺やフェンス(以下、簡略して手摺という。)の設置が望まれる場合がある。ブロック塀の頂面に手摺を取り付けるには、その頂面に支柱を立設し、その支柱に手摺を取り付けることとなる。
【０００３】
笠木の取付と支柱の立設に関しては、様々な先行技術が知られている。その１は、ブロック塀の頂面に笠木を先に取付け、その笠木の上面に支柱の下端部に固着した固定板を載せ、その固定板を笠木にねじなどで固着するものである。
その２は、ブロック塀の頂面に支柱の支持軸となる長いボルトを先に植設し、そのボルトを笠木に設けた孔に貫通して、その笠木をブロック塀の頂面に固定した後、そのボルトを支柱及び手摺に貫通して、そのボルトの上端部にナットを締め付けて支柱を固定するものである。
その３は、ブロック塀の頂面に芯材を植設し、その芯材を笠木に設けた孔に貫通し、その笠木をブロック塀の頂面に固定した後、その芯材を支柱に挿入して、支柱の側面から芯材にねじをねじ込んで支柱を固定するものである。
【特許文献１】特になし
【発明の開示】
【発明が解決しようとする課題】
【０００４】
上記先行技術その１は、支柱の下端部に固定板を設けるので、手間がかかるばかりでなく、その固定板を笠木又はブロック塀にねじ止めする際に、笠木に過大な応力が加わって変形する虞があるほか、固定板が支柱周囲において笠木上面に突出するので、外観が好ましくないという問題がある。
【０００５】
上記先行技術その２は、笠木にボルトを貫通するための孔を加工し、ボルトを支柱に貫通する必要があるので、加工コスト、部品コストないし材料コストが嵩むという問題がある。
【０００６】
上記先行技術その３は、笠木に芯材を貫通するための孔を加工し、芯材を支柱に挿入し、支柱から芯材にねじをねじ込む必要があるので、先行技術その２と同様に、加工コスト、部品コストないし材料コストが嵩むという問題がある。
【０００７】
ブロック塀に支柱を立設する場合は、その支柱の下部をブロック塀の孔に挿入し、その孔にモルタルを充填して養生固化する必要がある。従って、支柱立設後に笠木をブロック塀の頂面に直接に取付ける必要がある。支柱に手摺やフェンスを取り付ける場合は、一般的に、その支柱には予め(立設前に)手摺又はフェンスの取付金具が突設されている。従って、笠木は、これに設けた孔に立設済みの支柱を貫通させてブロック塀の頂面に直接にセットするには、前記取付金具を逃げる切欠きを形成する必要がある。
【０００８】
本発明は、上記従来技術の問題点に鑑みてなされたものであり、解決しようとする課題は、ブロック塀の頂面に立設した支柱の間に直接取り付けることができ、しかも、支柱に予め取り付けてある手摺又はフェンスの取付金具を逃げる切欠きを必要としない笠木取付構造を提供することにある。
【課題を解決するための手段】
【０００９】
上記課題を解決するため、本発明に係る笠木の取付構造は、（ａ）ブロック塀の頂面に載置され、その頂面に立設された手摺取付用の支柱を包囲する支柱カバーを、その支柱の互いに反対側から包囲できる形状に２分割してなる支柱カバー部品を、笠木本体の長手方向の少なくとも一端部に取付けて笠木を構成し、（ｂ）その場合、隣接して取り付けられる笠木の端部に取り付けられる支柱カバー部品は前記支柱に関して反転対称形となるように取付け、（ｃ）前記支柱カバー部品を取り付けた前記笠木本体を前記支柱の間のブロック塀の頂面に載置し、隣接する前記支柱カバー部品により前記支柱を包囲した状態で、前記笠木本体を前記ブロック塀の頂面に固着することを特徴としている。
【００１０】
本発明の好ましい実施の態様においては、笠木本体は、上面に開口する溝を有し、その溝を形成する底壁がブロック塀の頂面に載置されて、その溝から前記底壁をブロック塀の頂面にねじ止めして固定され、前記溝にその溝を密閉するカバーが装着される。
【００１１】
また、支柱カバー部品は、笠木本体側に突出してその笠木本体の上面に開口する溝の端部に嵌合して、その溝の底壁に固着される嵌合凸部を有するとともに、前記笠木本体と反対側に他の笠木の支柱カバー部品と結合するための結合部を有することが好ましい。
【００１２】
さらに、支柱カバー部品は、いずれも同一形状を有するものであることが望ましい。
【発明の効果】
【００１３】
請求項１の発明によれば、笠木を支柱間においてブロック塀の頂面に載置して、直接取り付けることができ、しかも、支柱に手摺取付金具が予め取り付けてあっても、その取付金具が笠木取付の障害にならない。しかも、支柱カバーは、支柱の全周面を包囲して固定されるので、支柱立ち上がり部の美観が向上する。
【００１４】
請求項２の発明によれば、笠木本体のブロック塀の頂面に対する取付が容易にでき、カバーにより溝が密閉されるので、その取付用コーチスクリューなどが露見されない。従って、美観に優れる。
【００１５】
請求項３の発明によれば、支柱カバー部品の笠木本体に対する結合が容易にでき、また、支柱カバー部品同士を容易に結合して完結した支柱カバーとすることができる。
【００１６】
請求項４の発明によれば、１種類の支柱カバー部品を製造するだけで済むので、製造コストの低減効果及び笠木本体に対する取付容易性の効果が奏される。複数部品を用いる場合のように取り違いが生じないので、施工性が向上する。
【発明を実施するための最良の形態】
【００１７】
次に、本発明の実施の形態を図面に基づいて説明する。
図１は笠木取付の施工前と施工後の状態を示す斜視図、図２は笠木の一つの構成要素である笠木本体を示す図であって、（ａ）は正面図、（ｂ）は平面図である。図３は支柱カバー部品の展開図、図４は笠木の他の構成要素である支柱カバーの平面図、図５は笠木本体に本体カバー及びエンドキャップが装着された状態を示す端部の断面図、図６は笠木のエンドキャップの展開図、図７は笠木本体を結合するジョイントの展開図、図８は支柱及び支柱カバーの各種形状の例を示す平面図である。
【００１８】
笠木の取付施工を行うに先立ち、図１（ａ）に示すように、ブロック塀１の所定の位置の孔２に手摺取付用の支柱３の下部が挿入される。４は、支柱３を所定の高さに仮固定するための釘である。支柱３が挿入された孔及びその他の孔に、モルタル（不図示）が充填され、ブロック塀１の頂面は平滑化される。釘４はモルタルの養生固化の後に除去される。その後、ブロック塀１の支柱３の間の頂面に笠木５が後述のようにして順次取り付けられて、図１（ｂ）に示すように、全ての笠木５が見かけ上連続する。
【００１９】
上記笠木５は、基本的には、図１（ａ）に示すように、笠木本体５ａと、その笠木本体の長手方向両端部に結合される支柱カバー５ｂ，５ｂ’と、笠木本体５ａの上面に開口する溝に嵌着される本体カバー５ｃとから構成されている。以下、順次詳細に説明する。
【００２０】
笠木本体５ａは、図２に示すように、金属製形材で形成され、幅方向中央に上面に開口する溝５０を有し、その溝を形成する底壁５１の幅方向中央に、この笠木本体をブロック塀の頂面に載置して固定するためのコーチスクリュー（不図示）を貫通するための長孔５２が、笠木本体の長手方向に適宜の間隔を持って形成されている。また、笠木本体５ａは、溝５０の両側の立ち上がり壁の上端部近傍から溝５０の一部を覆うように対向して突出する突縁５３を有するとともに、両側の立ち上がり壁の上端部から溝５０の外側に等しい距離まで緩やかに傾斜する上面壁５４と、その上面壁の外側端部から垂下する垂下壁５５と、その垂下壁の内面から溝５０の底壁と共通の水平面上において互いに他の垂下壁方向に等しい幅を持って延びる水平壁５６と、同じく垂下壁の内面の水平壁５６よりも下側に、水平壁５６よりも短い幅をもって先端方向に上り傾斜する傾斜縁５７とを有する。
【００２１】
後述されるように、突縁５３は溝５０の開口面を遮蔽する本体カバー５ｃを嵌着するためのものであり、水平壁５６は溝の底壁５１とともに、笠木本体５ａをブロック塀１の頂面に載置するためのものであり、傾斜縁５７はブロック塀１の仕上げ材（不図示）を受け止めるためのものである。
【００２２】
図１の笠木本体５ａの両端部に装着されている支柱カバー部品５ｂ，５ｂ’は、図３に示される一つの部品を１８０度反転して笠木本体５ａに結合されている。すなわち、支柱カバー部品５ｂ，５ｂ’は、同一形状を有するので、支柱カバー部品５ｂについてのみ説明すると、支柱カバー部品５ｂは、平面形状がＬ字形に形成され、その上面壁６０のＬ字の水平辺に相当する部分６０ａに、上面壁６０のＬ字の垂直辺に相当する部分６０ｂ側と反対方向に突出する、笠木本体５ａの端部と結合するための３個の嵌合凸部６１，６２、６３が設けられている。嵌合凸部は少なくとも中央の嵌合凸部６１のみ設けられていも良い。しかし、両側の嵌合凸部６２，６３も設けられた場合は、笠木本体５ａに対する接続安定性が向上する。
【００２３】
中央の嵌合凸部６１は、笠木本体５ａの溝５０に緊密に嵌合するすることができ、両側の嵌合凸部６２，６３は、笠木本体５ａの上面壁５４と水平壁５６との間の空隙に緊密さに嵌合することができるように形成されている。
【００２４】
また、支柱カバー部品５ｂは、上面壁６０のＬ字の水平辺に相当する部分６０ａの嵌合凸部６２と反対側の位置と、上面壁６０のＬ字の垂直辺に相当する部分６０ｂの嵌合凸部６３と反対側の位置において、一対の支柱カバー部品５ｂ，５ｂ’を、図４に示すように、一つに対して他の一つを１８０度回転して対向接近させた時に、互いに雄雌嵌合して結合される結合部６４，６５が設けられている。
【００２５】
笠木本体５ａ及び支柱カバー部品５ｂ，５ｂ’の上記構成により、図１（ａ）の笠木本体５ａの右端部における支柱カバー部品５ｂは、図３（ａ）に示される向きと同じ向きで嵌合凸部６１，６２、６３が笠木本体５ａの中に挿入され、嵌合凸部６１に設けてある貫通孔６１ｈからビスを笠木本体５ａの底壁５１の端部に設けてあるねじ孔５１ｈにねじ込むことにより、支柱カバー部品５ｂが笠木本体５ａに取り付けられている。図１（ａ）の笠木本体５ａの左端部における支柱カバー部品５ｂ’は、図３（ａ）に示される向きの支柱カバー部品を垂直線周りに１８０度回転した向きで嵌合凸部６１，６２、６３により同様にして結合されている。そして、図１の笠木本体５ａの両端部の支柱カバー部品５ｂ，５ｂ’間の距離は、図１の支柱３間の距離と等しく設定されている。
【００２６】
上記のように、両端部に支柱カバー部品５ｂ，５ｂ’が結合された状態の笠木本体５ａは、一端側が高い位置に、他端側が低い位置に存在するように斜めに持って、支柱３間に入れ易くし、支柱間に入れた後、その笠木本体５ａを水平状態にして、平滑にされたブロック塀１の頂面に載置する。そして、各支柱カバー部品５ｂ，５ｂ’の上面壁６０のＬ字の水平辺に相当する部分６０ａと上面壁６０のＬ字の垂直辺に相当する部分６０ｂとの直角に連続する内角をそれぞれの支柱３の直角に連続する異なる２側面に当接して仮固定する。
【００２７】
隣接する支柱間にも、同様にして他の笠木本体５ａを載置し、同様に支柱カバー部品５ｂ，５ｂ’の上面壁６０のＬ字の水平辺に相当する部分６０ａと上面壁６０のＬ字の垂直辺に相当する部分６０ｂとの直角に連続する内角をそれぞれの支柱３の直角に連続する側面に当接して仮固定する。
【００２８】
その際に、図４に示すように、一つの支柱３の両側に接近される一対の支柱カバー部品５ｂ，５ｂ’は、結合部６４，６５が互いに雄雌嵌合して結合されると同時に、支柱３の周囲を包囲して、外見上、単一の完結した支柱カバーとなり、支柱に固定される。従って、支柱３に手摺又はフェンス取付金具が予め取り付けてあっても、支柱カバー部品５ｂ，５ｂ’にその取付金具を逃げるための切欠を設ける必要がない。
【００２９】
上述のようにして、各支柱３間に、両端部に支柱カバー部品５ｂ，５ｂ’を取り付けた笠木本体５ａが載置され、正確な位置決め、結合状態が確かめられたならば、各笠木本体の溝の底壁５１に設けてある長孔５２からコーチスクリュー（不図示）をブロック塀頂面にねじ込んで、笠木本体５ａ及び支柱カバー部品５ｂ，５ｂ’が堅固に固定される。
【００３０】
その固定に続き、各笠木本体５ａには、図５に示すように、本体カバー５ｃが溝５０に嵌着される。従って、笠木本体５ａを固定するコーチスクリューが外部に露見しないので、笠木の美観が向上する。また、万一、溝５０の中に雨水が侵入しても、長孔５２から排水される。
【００３１】
図５における５ｄは、笠木に取り付けられたエンドキャップである。エンドキャップ５ｄは、図６に示すように、笠木本体の上面の輪郭形状と同様な輪郭形状を有する上面壁７０と、その上面壁の幅方向両端部から笠木本体５ｂの垂下壁５５と平行に垂下する垂下壁７２と、笠木本体５ａの垂下壁５５の下端部に係止され、傾斜壁５７の下方まで延長する係止縁７２と、上面壁の一端部から笠木本体の水平壁の高さまで垂下して、笠木本体の長手方向端面を遮蔽する遮蔽壁７３と、その遮蔽壁の内面の幅方向中央に突設された嵌合凸部７４と、遮蔽壁の幅方向両端部付近において、嵌合凸部７４と平行に突出する嵌合凸部７５とを有している。そして、嵌合凸部７４を笠木本体の溝５０の端部に、両側の嵌合凸部７４を笠木本体の上面壁５４と水平壁５６との間の空隙に嵌合し、係止縁７２を笠木本体の垂下壁５５の下端部に係止して取り付けられている。
【００３２】
支柱３間距離が大きい場合は、二つの笠木本体５ａの一端同士を図７に例示するようなジョイント５ｅを用いて連結することができる。ジョイント５ｅは、図６に示されたエンドキャップ５ｄの遮蔽壁７３の反対側の面にも、上面壁７０，垂下壁７１，係止縁７２及び嵌合凸部７４，７５と同じものを設けた構造を有するものである。従って、二つの笠木本体５ａの突き合わせた端部のそれぞれの中に、両側の嵌合凸部７４，７５を嵌合し、上面壁７０で各笠木本体の上面壁を被覆し、係止縁７２で各笠木本体の垂下壁の下端部に係止することにより、隣接する笠木本体５ａが、その間に隙間を生じることなく、連結される。
【００３３】
以上の構成により、図１（ｂ）に示すように、笠木本体５ａの溝５０が見えない笠木５が完成し、支柱３を有するブロック塀１の頂面に取り付けられ、優美な外観を呈する。ブロック塀１には、その後、必要に応じて仕上げ塗りが行われ、その仕上げ材は図２の傾斜縁５７により受け止められることは、既述したとおりである。
【００３４】
支柱には、断面形状が正方形、長方形、円形のものなどがある。それぞれの断面形状に応じて、使用される支柱カバーの形状も、図８（ａ）（ｂ）（ｃ）に示すような形状とすることができる。いずれの場合も、同一形状の支柱カバー部品が笠木本体の両端部に反転対称形に取り付けられ、一つの支柱３ｘ，３ｙ，３ｚに対して互いに反対側からその支柱を包囲するように、ブロック塀の頂面に載置できる形状とされている。
【図面の簡単な説明】
【００３５】
【図１】笠木取付の施工前と施工後の状態を示す斜視図。
【図２】笠木の一つの構成要素である笠木本体を示す図であって、(ａ)は正面図、（ｂ）は平面図。
【図３】笠木の他の構成要素である支柱カバーの構成部品である支柱カバー部品の展開図。
【図４】支柱カバーの平面図。
【図５】笠木本体に本体カバー及びエンドキャップが装着された状態を示す端部の断面図。
【図６】笠木のエンドキャップの展開図。
【図７】笠木本体を結合するジョイントの展開図。
【図８】支柱及び支柱カバーの各種形状の例を示す平面図。
【符号の説明】
【００３６】
１      ブロック塀（又はパラペット）
３      支柱
５      笠木
５ａ    笠木本体
５０    溝
５１    底壁
５６    水平壁
５ｂ，５ｂ’      支柱カバー部品
６０    上面壁
６１，６２，６３    嵌合凸部
６４，６５          嵌着部
５ｃ    本体カバー
５ｄ    エンドキャップ
５ｅ    ジョイント
５ａ１，５ａ２      笠木本体
５ｂｘ１，５ｂｘ２  支柱カバー部品
５ｂｙ１，５ｂｙ２  支柱カバー部品
５ｂｚ１，５ｂｚ２  支柱カバー部品
【図１】
2009197517.tif 000003
【図２】
2009197517.tif 000004
【図３】
2009197517.tif 000005
【図４】
2009197517.tif 000006
【図５】
2009197517.tif 000007
【図６】
2009197517.tif 000008
【図７】
2009197517.tif 000009
【図８】
2009197517.tif 000010